(57)【要約】【課題】菓子食品類や電気部品類や各種日用品などを幅広く収容する、前後が偏平な直方体状の紙箱であって、店内に吊下げて、安定して展示販売することができる、しかも収容物の取出しと再収容とが容易な吊下げ展示用の紙箱を提供する。【解決手段】本発明は、上面蓋板２１の差込み片２５を前側面板３３の裏面側に差込んで閉蓋する直方体状の紙箱において、上面連接板１１と、それぞれ吊下げ孔２を設けた吊下げ板１２ ,１３と、切れ目線ａを設けた後面貼着板１４とを、順に連設して、吊下げ板１２ ,１３の裏面どうしを貼着して成る吊下げ部材１０であって、この吊下げ部材１０の上面連接板１１を、紙箱の前側面板３３の上辺に、切れ目線ｅを介して連設して、また吊下げ部材１０の後面貼着板１４の切れ目線ａの下部を、紙箱の後側面板３１の上部に貼着した吊下げ展示用の紙箱である。【選択図】図２
2005041535.tif 000002
【特許請求の範囲】
【請求項１】
差込み片２５を連設した上面蓋板２１と折込み片２２ ,２４と糊代片３０と後左前右の側面板３１ ,３２ ,３３ ,３４と適宜の底面板群４１ ,４２ ,４３ ,４４とを、それぞれ折り目線を介して連設して成る、上面蓋板２１の差込み片２５を前側面板３３の裏面側に差込んで閉蓋する直方体状の紙箱において、上面連接板１１と、それぞれ吊下げ孔２を設けた吊下げ板１２ ,１３と、切れ目線ａを設けた後面貼着板１４とを、谷折り線ｂと折り目線ｃ ,ｄとを介して順に連設して、吊下げ板１２ ,１３の裏面どうしを貼着して成る吊下げ部材１０であって、この吊下げ部材１０の上面連接板１１を、紙箱の前側面板３３の上辺に、切れ目線ｅを介して連設して、また吊下げ部材１０の後面貼着板１４の切れ目線ａの下部を、紙箱の後側面板３１の上部に貼着したことを特徴とする吊下げ展示用の紙箱。
【請求項２】
繋止切込み４を設けた上面蓋板２１と繋止凸部５を設けた上面蓋板２３と折込み片２２
,２４と糊代片３０と後左前右の側面板３１ ,３２ ,３３ ,３４と適宜の底面板群４１ ,４２ ,４３ ,４４とを、それぞれ折り目線を介して連設して成る、上面蓋板２１の繋止切込み４に上面蓋板２３の繋止凸部５を挿入して閉蓋する直方体状の紙箱において、上面連接板１１と、それぞれ吊下げ孔２を設けた吊下げ板１２ ,１３と、切れ目線ａを設けた後面貼着板１４とを、谷折り線ｂと折り目線ｃ ,ｄとを介して順に連設して、吊下げ板１２
,１３の裏面どうしを貼着して成る吊下げ部材１０であって、この吊下げ部材１０の上面連接板１１を、紙箱の上面蓋板２３の端辺に、それぞれの切断方向上流側が内側に屈曲した２列のミシン目状の切れ目線ｇ ,ｇを介して連設して、また吊下げ部材１０の後面貼着板１４の切れ目線ａの下部を、紙箱の後側面板３１の上部に貼着したことを特徴とする吊下げ展示用の紙箱。
【請求項３】
上面蓋板２１ ,２３とそれぞれ斜め４５度の谷折り線ｈ ,ｈを設けた折込み片２４ ,２２と糊代片３０と右後左前の側面板３４ ,３１ ,３２ ,３３と適宜の底面板群４４ ,４１
,４２ ,４３とを、それぞれ折り目線を介して連設して成る、上面蓋板２１を谷状に折込んだ折込み片２４ ,２２と上面蓋板２３との間に挿入して閉蓋する直方体状の紙箱において、それぞれ吊下げ孔２を設けた吊下げ板１２ ,１３と、後面貼着板１４とを、折り目線ｃと切れ目線ｉとを介して順に連設して、吊下げ板１２ ,１３の裏面どうしを貼着して成る吊下げ部材１０であって、この吊下げ部材１０の吊下げ板１２を、紙箱の上面蓋板２３の端辺に、切れ目線ｊを介して連設して、また吊下げ部材１０の後面貼着板１４を、紙箱の後側面板３１の上部に貼着したことを特徴とする吊下げ展示用の紙箱。
【請求項４】
請求項１に記載の吊下げ展示用の紙箱において、上面連接板１１を前側面板３３の上辺に連設する切れ目線ｅの中央部分に、半円状やＵ字状などの切断開始部３を、前側面板３３を区画して形成したことを特徴とする吊下げ展示用の紙箱。
【請求項５】
請求項１ ,請求項２ ,請求項４のどれかに記載の吊下げ展示用の紙箱において、後面貼着板１４に設ける切れ目線ａに替えて、それぞれの切断方向上流側が内側に屈曲した２列のミシン目状の切れ目線ａ ,ａを設けたことを特徴とする吊下げ展示用の紙箱。
【請求項６】
請求項１ ,請求項２ ,請求項３ ,請求項４ ,請求項５のどれかに記載の吊下げ展示用の紙箱において、後面貼着板１４を貼着する後側面板３１の上部に、複数列の凹状線ｆ ,ｆ
,…を設けたことを特徴とする吊下げ展示用の紙箱。
【請求項７】
差込み片２５を連設した上面蓋板２３と折込み片２２ ,２４と糊代片３０と後左前右の側面板３１ ,３２ ,３３ ,３４と適宜の底面板群４１ ,４２ ,４３ ,４４とを、それぞれ折り目線を介して連設して成る、上面蓋板２３の差込み片２５を後側面板３１の裏面側に
差込んで閉蓋する直方体状の紙箱において、上面蓋板２３の差込み片２５の端辺に、差込み連接片１５と吊下げ孔２を設けた前面の吊下げ板１２とを、切れ目線ｋ ,ｍを介して順に連設して、また後側面板３１の上辺に、吊下げ孔２を設けた後面の吊下げ板１３を、切れ目線ｎを介して連設して、差込み片２５と逆折りした差込み連接片１５とを差込んだ状態で、この前後面の吊下げ板１２ ,１３の裏面どうしを貼着したことを特徴とする吊下げ展示用の紙箱。
【請求項８】
請求項７に記載の吊下げ展示用の紙箱において、後側面板３１の上辺に後面の吊下げ板１３を連設する切れ目線ｎの中央部分に、半円状やＵ字状などの切断開始部３を、後側面板３１を区画して形成したことを特徴とする吊下げ展示用の紙箱。
【発明の詳細な説明】
【技術分野】
【０００１】
本発明は、菓子食品類や電気部品類や各種日用品などを幅広く収容する、前後が偏平な直方体状の紙箱であって、店内に吊下げて、安定して展示販売することができる、しかも収容物の取出しと再収容とが容易な吊下げ展示用の紙箱に関する。
【背景技術】
【０００２】
従来から、菓子食品類や電気部品類や各種日用品などを幅広く収容する、前後が偏平な直方体状の、各種形状の吊下げ展示用の紙箱が広く用いられているものであって、例えば本願出願人に係る実公平７−４１７５号公報の、図９ ,図１０に示すような、差込み片２５を連設した上面蓋板２３と折込み片２２ ,２４と糊代片３０と後左前右の側面板３１ ,３２ ,３３ ,３４と図示していない適宜の底面板群とを、それぞれ折り目線( 符号がない１点鎖線、以下同じ )を介して連設して成る、上面蓋板２３の差込み片２５を後側面板３１の裏面側に差込んで閉蓋する直方体状の紙箱において、上面蓋板２３の差込み片２５の端辺に、逆折りする繋止片５１を、谷折り線ｏを介して連設して、また後側面板３１の上辺に、それぞれ吊下げ孔６を設けた後前面の吊下げ板５２ ,５３を、切れ目線ｐと折り目線ｑとを介して順に連設した吊下げ展示用の紙箱が、一般に広く用いられている。
【０００３】
この従来の、図９ ,図１０に示す吊下げ展示用の紙箱は、図９に示す工程が簡単な１枚物の吊下げ展示用の紙箱のブランクの、糊代片３０と右側面板３４の右端部とを機械的に角筒状に貼着して、また図示していない適宜の底面板群を機械的に貼着するなどして、菓子食品類や電気部品類や各種日用品などを幅広く収容した後に、簡単な手作業などで、図１０Ａ ,Ｂに示すように、差込み片２５と逆折りした繋止片５１とを後側面板３１の裏面側に差込みながら、この差込み片２５と逆折りした繋止片５１との間に、前面( 図１０では右側 )の吊下げ板５３を挿入して繋止するだけで、簡単に上面蓋板２３を閉蓋しながら、２つ折りした後前面の吊下げ板５２ ,５３を形成することができる、店内に吊下げて展示販売する、工程が簡単で作製費用が廉価な吊下げ展示用の紙箱である。
【特許文献１】実公平７−４１７５号公報
【発明の開示】
【発明が解決しようとする課題】
【０００４】
ところが従来の、図９ ,図１０に示す吊下げ展示用の紙箱については、図１０Ｂに示すように、差込み片２５と逆折りした繋止片５１とを後側面板３１の裏面側に差込みながら、この差込み片２５と逆折りした繋止片５１との間に、前面の吊下げ板５３を挿入して繋止するだけで、簡単に上面蓋板２３を閉蓋しながら、２つ折りした後前面の吊下げ板５２
,５３を形成することができるものの、店内に吊下げて展示販売する時に、２つ折りした後前面の吊下げ板５２ ,５３の裏面どうしを貼着していないために、吊下げ板５２ ,５３が膨らむなどして、やゝ不安定になることが問題であって、しかも、前面の吊下げ板５３を挿入して繋止する逆折りした繋止片５１を切断して除去することができないために、図１０Ｃに示すように、切れ目線ｐを切断して後前面の吊下げ板５２ ,５３を除去して開蓋する時に、また図１０Ｄに示すように、再び差込み片２５と逆折りした繋止片５１とを後側面板３１の裏面側に差込んで閉蓋する時に、この逆折りした繋止片５１が邪魔になって、菓子食品類や電気部品類や各種日用品などの収容物の取出しと再収容とに、やゝ難があることが問題であった。
【０００５】
そこで、本発明の目的は、菓子食品類や電気部品類や各種日用品などを幅広く収容する、前後が偏平な直方体状の紙箱であって、吊下げ板１２ ,１３の裏面どうしを貼着したた
めに、店内に吊下げて、安定して展示販売することができる、しかも、切れ目線ｅと切れ目線ａとを切断するなどして、簡単に吊下げ板１２ ,１３を除去して開蓋することができる、また再び上面蓋板２３の差込み片２５を前側面板３３の裏面側に差込むなどして、簡単に閉蓋することができる、収容物の取出しと再収容とが容易な吊下げ展示用の紙箱を提供することにある。
【課題を解決するための手段】
【０００６】
請求項１に記載の吊下げ展示用の紙箱の発明は、図１ ,図２に示すように、差込み片２５を連設した上面蓋板２１と折込み片２２ ,２４と糊代片３０と後左前右の側面板３１ ,３２ ,３３ ,３４と適宜の底面板群４１ ,４２ ,４３ ,４４とを、それぞれ折り目線を介して連設して成る、上面蓋板２１の差込み片２５を前側面板３３の裏面側に差込んで閉蓋する直方体状の紙箱において、上面連接板１１と、それぞれ吊下げ孔２を設けた吊下げ板１２ ,１３と、切れ目線ａ( 図１ ,図２Ａ ,Ｂでは２列のミシン目状の切れ目線ａ ,ａ )を設けた後面貼着板１４とを、谷折り線ｂと折り目線ｃ ,ｄとを介して順に連設して、吊下げ板１２ ,１３の裏面どうしを貼着して成る吊下げ部材１０であって、この吊下げ部材１０の上面連接板１１を、紙箱の前側面板３３の上辺に、切れ目線ｅを介して連設して、また吊下げ部材１０の後面貼着板１４の切れ目線ａの下部を、紙箱の後側面板３１の上部に貼着したことを特徴とする吊下げ展示用の紙箱である。
【０００７】
本発明の吊下げ展示用の紙箱においては、前述した上面蓋板２１の差込み片２５を前側面板３３の裏面側に差込んで閉蓋する直方体状の紙箱において、上面連接板１１と、それぞれ吊下げ孔２を設けた吊下げ板１２ ,１３と、切れ目線ａを設けた後面貼着板１４とを、谷折り線ｂと折り目線ｃ ,ｄとを介して順に連設して、吊下げ板１２ ,１３の裏面どうしを貼着して成る、店内に吊下げて、安定して展示販売することができる吊下げ部材１０であって、図１に示すように、この吊下げ部材１０の上面連接板１１を、紙箱の前側面板３３の上辺に、切れ目線ｅを介して連設して、また図２Ａ ,Ｂに示すように、この吊下げ部材１０の後面貼着板１４の切れ目線ａの下部を、紙箱の後側面板３１の上部に貼着したことによって、図２Ｃに示すように、切れ目線ｅと切れ目線ａとを切断して、簡単に吊下げ部材１０を除去して開蓋することができる、また図２Ｄ ,Ｅに示すように、再び上面蓋板２１の差込み片２５を前側面板３３の裏面側に差込んで、簡単に閉蓋することができる、収容物の取出しと再収容とが容易な吊下げ展示用の紙箱を提供することができる。
【０００８】
請求項２に記載の吊下げ展示用の紙箱の発明は、図３ ,図４に示すように、繋止切込み４を設けた上面蓋板２１と繋止凸部５を設けた上面蓋板２３と折込み片２２ ,２４と糊代片３０と後左前右の側面板３１ ,３２ ,３３ ,３４と適宜の底面板群４１ ,４２ ,４３ ,４４とを、それぞれ折り目線を介して連設して成る、上面蓋板２１の繋止切込み４に上面蓋板２３の繋止凸部５を挿入して閉蓋する直方体状の紙箱において、上面連接板１１と、それぞれ吊下げ孔２を設けた吊下げ板１２ ,１３と、切れ目線ａを設けた後面貼着板１４とを、谷折り線ｂと折り目線ｃ ,ｄとを介して順に連設して、吊下げ板１２ ,１３の裏面どうしを貼着して成る吊下げ部材１０であって、この吊下げ部材１０の上面連接板１１を、紙箱の上面蓋板２３の端辺( 図３では上辺 )に、それぞれの切断方向上流側( 図３では右側 )が内側に屈曲した( ジッパー線と通称する )２列のミシン目状の切れ目線ｇ ,ｇを介して連設して、また吊下げ部材１０の後面貼着板１４の切れ目線ａの下部を、紙箱の後側面板３１の上部に貼着したことを特徴とする吊下げ展示用の紙箱である。
【０００９】
本発明の吊下げ展示用の紙箱においては、前述した上面蓋板２１の繋止切込み４に上面蓋板２３の繋止凸部５を挿入して閉蓋する直方体状の紙箱において、上面連接板１１と、それぞれ吊下げ孔２を設けた吊下げ板１２ ,１３と、切れ目線ａを設けた後面貼着板１４とを、谷折り線ｂと折り目線ｃ ,ｄとを介して順に連設して、吊下げ板１２ ,１３の裏面どうしを貼着して成る、店内に吊下げて、安定して展示販売することができる吊下げ部材
１０であって、図３に示すように、この吊下げ部材１０の上面連接板１１を、紙箱の上面蓋板２３の端辺に、ジッパー線と通称する２列のミシン目状の切れ目線ｇ ,ｇを介して連設して、また図４Ａ ,Ｂに示すように、この吊下げ部材１０の後面貼着板１４の切れ目線ａの下部を、紙箱の後側面板３１の上部に貼着したことによって、図４Ｃに示すように、２列のミシン目状の切れ目線ｇ ,ｇと切れ目線ａとを切断して、簡単に吊下げ部材１０を除去して開蓋することができる、また図４Ｄ ,Ｅに示すように、再び上面蓋板２１の繋止切込み４に上面蓋板２３の繋止凸部５を挿入して、簡単に閉蓋することができる、収容物の取出しと再収容とが容易な吊下げ展示用の紙箱を提供することができる。
【００１０】
請求項３に記載の吊下げ展示用の紙箱の発明は、図５ ,図６に示すように、上面蓋板２１ ,２３とそれぞれ斜め４５度の谷折り線ｈ ,ｈを設けた折込み片２４ ,２２と糊代片３０と右後左前の側面板３４ ,３１ ,３２ ,３３と適宜の底面板群４４ ,４１ ,４２ ,４３とを、それぞれ折り目線を介して連設して成る、上面蓋板２１を谷状に折込んだ折込み片２４ ,２２と上面蓋板２３との間に挿入して閉蓋する直方体状の紙箱において、それぞれ吊下げ孔２を設けた吊下げ板１２ ,１３と、後面貼着板１４とを、折り目線ｃと切れ目線ｉとを介して順に連設して、吊下げ板１２ ,１３の裏面どうしを貼着して成る吊下げ部材１０であって、この吊下げ部材１０の吊下げ板１２を、紙箱の上面蓋板２３の端辺( 図５では上辺 )に、切れ目線ｊを介して連設して、また吊下げ部材１０の後面貼着板１４を、紙箱の後側面板３１の上部に貼着したことを特徴とする吊下げ展示用の紙箱である。
【００１１】
本発明の吊下げ展示用の紙箱においては、前述した上面蓋板２１を谷状に折込んだ折込み片２４ ,２２と上面蓋板２３との間に挿入して閉蓋する直方体状の紙箱において、それぞれ吊下げ孔２を設けた吊下げ板１２ ,１３と、後面貼着板１４とを、折り目線ｃと切れ目線ｉとを介して順に連設して、吊下げ板１２ ,１３の裏面どうしを貼着して成る、店内に吊下げて、安定して展示販売することができる吊下げ部材１０であって、図５に示すように、この吊下げ部材１０の吊下げ板１２を、紙箱の上面蓋板２３の端辺に、切れ目線ｊを介して連設して、また図６Ａ ,Ｂに示すように、この吊下げ部材１０の後面貼着板１４を、紙箱の後側面板３１の上部に貼着したことによって、図６Ｃに示すように、切れ目線ｊと切れ目線ｉとを切断して、簡単に吊下げ部材１０を除去して開蓋することができる、また図６Ｄ ,Ｅに示すように、再び上面蓋板２１を谷状に折込んだ折込み片２４ ,２２と上面蓋板２３との間に挿入して、簡単に閉蓋することができる、収容物の取出しと再収容とが容易な吊下げ展示用の紙箱を提供することができる。
【００１２】
請求項４に記載の吊下げ展示用の紙箱の発明は、図１に示すように、上面連接板１１を前側面板３３の上辺に連設する切れ目線ｅの中央部分に、半円状やＵ字状など( 図１では半円状 )の切断開始部３を、前側面板３３を区画して形成したことを特徴とする吊下げ展示用の紙箱である。
【００１３】
本発明の吊下げ展示用の紙箱においては、前述した図１ ,図２に示す吊下げ展示用の紙箱において、上面連接板１１を前側面板３３の上辺に連設する切れ目線ｅの中央部分に、半円状やＵ字状などの切断開始部３を、前側面板３３を区画して形成したことによって、直角に山折りした上面連接板１１と前側面板３３との間の、図２Ａに示す比較的切断し難い切れ目線ｅを、この前側面板３３を区画して形成した切断開始部３を指で押して開口して、簡単に持上げるように引張って切断することができる、吊下げ部材１０を除去して開蓋することが容易な吊下げ展示用の紙箱を提供することができる。
【００１４】
請求項５に記載の吊下げ展示用の紙箱の発明は、図１に示すように、後面貼着板１４に設ける切れ目線ａに替えて、それぞれの切断方向上流側( 図１では右側 )が内側に屈曲した( ジッパー線と通称する )２列のミシン目状の切れ目線ａ ,ａを設けたことを特徴とする吊下げ展示用の紙箱である。
【００１５】
本発明の吊下げ展示用の紙箱においては、前述した図１ ,図２ ,図３ ,図４に示す吊下げ展示用の紙箱において、後面貼着板１４に設ける切れ目線ａに替えて、ジッパー線と通称する２列のミシン目状の切れ目線ａ ,ａを設けたことによって、切れ目線ａ ,ａの下部を後側面板３１の上部に貼着した後面貼着板１４の、図２Ａに示す比較的切断し難い２列のミシン目状の切れ目線ａ ,ａを、切断方向上流側( 図２Ａでは左側 )の端部を指でつまんで、簡単に剥がすように引張って切断することができる、吊下げ部材１０を除去して開蓋することが容易な吊下げ展示用の紙箱を提供することができる。
【００１６】
請求項６に記載の吊下げ展示用の紙箱の発明は、図１に示すように、後面貼着板１４を貼着する後側面板３１の上部に、複数列( 図１では３列 )の凹状線ｆ ,ｆ ,…を設けたことを特徴とする吊下げ展示用の紙箱である。
【００１７】
本発明の吊下げ展示用の紙箱においては、前述した図１ ,図２ ,図３ ,図４ ,図５ ,図６に示す吊下げ展示用の紙箱において、後面貼着板１４を貼着する後側面板３１の上部に、複数列の凹状線ｆ ,ｆ ,…を設けたことによって、後側面板３１の上部に美麗な絵柄や０Ｐニスなどが印刷してあっても、通常の接着剤を用いて、そのまま後面貼着板１４を確実に貼着することができる、後面貼着板１４と後側面板３１との貼着工程が安定した吊下げ展示用の紙箱を提供することができる。
【００１８】
請求項７に記載の吊下げ展示用の紙箱の発明は、図７ ,図８に示すように、差込み片２５を連設した上面蓋板２３と折込み片２２ ,２４と糊代片３０と後左前右の側面板３１ ,３２ ,３３ ,３４と適宜の底面板群４１ ,４２ ,４３ ,４４とを、それぞれ折り目線を介して連設して成る、上面蓋板２３の差込み片２５を後側面板３１の裏面側に差込んで閉蓋する直方体状の紙箱において、上面蓋板２３の差込み片２５の端辺( 図７では上辺 )に、差込み連接片１５と吊下げ孔２を設けた前面の吊下げ板１２とを、切れ目線ｋ ,ｍを介して順に連設して、また後側面板３１の上辺に、吊下げ孔２を設けた後面の吊下げ板１３を、切れ目線ｎを介して連設して、差込み片２５と逆折りした差込み連接片１５とを差込んだ状態で、この前後面の吊下げ板１２ ,１３の裏面どうしを貼着したことを特徴とする吊下げ展示用の紙箱である。
【００１９】
本発明の吊下げ展示用の紙箱においては、前述した上面蓋板２３の差込み片２５を後側面板３１の裏面側に差込んで閉蓋する直方体状の紙箱において、図７に示すように、上面蓋板２３の差込み片２５の端辺に、差込み連接片１５と吊下げ孔２を設けた前面の吊下げ板１２とを、切れ目線ｋ ,ｍを介して順に連設して、また後側面板３１の上辺に、吊下げ孔２を設けた後面の吊下げ板１３を、切れ目線ｎを介して連設して、図８Ａ ,Ｂに示すように、差込み片２５と逆折りした差込み連接片１５とを差込んだ状態で、この前後面の吊下げ板１２ ,１３の裏面どうしを貼着したことによって、店内に吊下げて、安定して展示販売することができる吊下げ展示用の紙箱であって、しかも、図８Ｃに示すように、切れ目線ｋ ,ｍと切れ目線ｎとを切断して、簡単に差込み連接片１５と前後面の吊下げ板１２
,１３とを除去して開蓋することができる、また図８Ｄ ,Ｅに示すように、再び上面蓋板２３の差込み片２５を後側面板３１の裏面側に差込んで、簡単に閉蓋することができる、収容物の取出しと再収容とが容易な吊下げ展示用の紙箱を提供することができる。
【００２０】
請求項８に記載の吊下げ展示用の紙箱の発明は、図７ ,図８Ａに示すように、後側面板３１の上辺に後面の吊下げ板１３を連設する切れ目線ｎの中央部分に、半円状やＵ字状など( 図７ ,図８Ａでは偏平Ｕ字状 )の切断開始部３を、後側面板３１を区画して形成したことを特徴とする吊下げ展示用の紙箱である。
【００２１】
本発明の吊下げ展示用の紙箱においては、前述した図７ ,図８に示す吊下げ展示用の紙
箱において、後側面板３１の上辺に後面の吊下げ板１３を連設する切れ目線ｎの中央部分に、半円状やＵ字状などの切断開始部３を、後側面板３１を区画して形成したことによって、後側面板３１と裏面どうしを貼着した後面の吊下げ板１３との間の、図８Ａに示す比較的切断し難い切れ目線ｎを、この後側面板３１を区画して形成した切断開始部３を指で押して開口して、簡単に持上げるように引張って切断することができる、差込み連接片１５と前後面の吊下げ板１２ ,１３とを除去して開蓋することが容易な吊下げ展示用の紙箱を提供することができる。
【発明の効果】
【００２２】
以上、本発明の吊下げ展示用の紙箱においては、菓子食品類や電気部品類や各種日用品などを幅広く収容する、前後が偏平な直方体状の紙箱であって、吊下げ板１２ ,１３の裏面どうしを貼着したために、店内に吊下げて、安定して展示販売することができる、しかも、切れ目線ｅと切れ目線ａとを切断して、また２列のミシン目状の切れ目線ｇ ,ｇと切れ目線ａとを切断して、さらに切れ目線ｊと切れ目線ｉとを切断して、またさらに切れ目線ｋ ,ｍと切れ目線ｎとを切断して、簡単に吊下げ板１２ ,１３を除去して開蓋することができる、再び上面蓋板２１の差込み片２５を前側面板３３の裏面側に差込んで、また再び上面蓋板２１の繋止切込み４に上面蓋板２３の繋止凸部５を挿入して、さらに再び上面蓋板２１を谷状に折込んだ折込み片２４ ,２２と上面蓋板２３との間に挿入して、またさらに再び上面蓋板２３の差込み片２５を後側面板３１の裏面側に差込んで、簡単に閉蓋することができる、収容物の取出しと再収容とが容易な吊下げ展示用の紙箱を提供することができる。
【発明を実施するための最良の形態】
【００２３】
本発明の実施の形態を実施例に基づいて以下に詳細に説明する。
【実施例１】
【００２４】
図１は、本発明の実施例１における、吊下げ展示用の紙箱のブランクの平面図である。
【００２５】
また図２Ａ ,Ｂは、本発明の実施例１における、吊下げ展示用の紙箱の斜視図 ,断面図であって、図２Ｃ ,Ｄ ,Ｅは、吊下げ展示用の紙箱を、開蓋した状態と再閉蓋した状態とを示す断面図 ,斜視図 ,断面図である。
【００２６】
すなわち、差込み片２５を連設した上面蓋板２１と、折込み片２２ ,２４と、糊代片３０と、上部に３列の半切れミシン目線ｆ ,ｆ ,ｆを設けた後側面板３１と、左前右の側面板３２ ,３３ ,３４と、オートロック式の底面板群４１ ,４２ ,４３ ,４４とを、それぞれ符号がない１点鎖線で示す折り目線を介して連設して成る、上面蓋板２１の差込み片２５を前側面板３３の裏面側に差込んで閉蓋する、縦と横と高さとが３２×９５×１３２ｍｍの、前後が偏平な直方体状の紙箱において、前側面板３３の上辺に、上面連接板１１と、それぞれ吊下げ孔２を設けた吊下げ板１２ ,１３と、ジッパー線と通称する２列のミシン目状の切れ目線ａ ,ａを設けた後面貼着板１４とを、中央部分に半円状の切断開始部３を形成した切れ目線ｅと谷折り線ｂと折り目線ｃ ,ｄとを介して順に連設した、図１に示す吊下げ展示用の紙箱のブランクであって、表面に美麗な印刷をしたコートボール紙３５０ｇ／ｍ2 を用いて、通常の打抜型を用いた打抜工程で、工程が簡単な１枚物の吊下げ展示用の紙箱のブランクを作製した。
【００２７】
次に、図１に示す吊下げ展示用の紙箱のブランクの、糊代片３０と右側面板３４の右端部とを機械的に角筒状に貼着して、またオートロック式の底面板群４１ ,４２ ,４３ ,４４を機械的に貼着して、菓子食品類や電気部品類や各種日用品などを幅広く収容した後に、上面蓋板２１の差込み片２５を前側面板３３の裏面側に差込みながら、２つ折りした吊下げ板１２ ,１３の裏面どうしを機械的に貼着して、また３列の凹状線として半切れミシ
ン目線ｆ ,ｆ ,ｆを設けた後側面板３１の上部に、後面貼着板１４の２列のミシン目状の切れ目線ａ ,ａの下部を機械的に貼着して、吊下げ板１２ ,１３の裏面どうしを貼着したために、店内に吊下げて、安定して展示販売することができる、工程が簡単で作製費用が廉価な、図２Ａ ,Ｂに示す吊下げ展示用の紙箱を得ることができた。
【００２８】
本実施例１の吊下げ展示用の紙箱においては、前側面板３３の上辺に、上面連接板１１を切れ目線ｅを介して連設したことによって、また後側面板３１の上部に、後面貼着板１４の２列のミシン目状の切れ目線ａ ,ａの下部を貼着したことによって、図２Ｃに示すように、切れ目線ｅと２列のミシン目状の切れ目線ａ ,ａとを切断して、簡単に上面連接板１１と吊下げ板１２ ,１３と後面貼着板１４とを除去して開蓋することができる、また図２Ｄ ,Ｅに示すように、再び上面蓋板２１の差込み片２５を前側面板３３の裏面側に差込んで、簡単に閉蓋することができる、収容物の取出しと再収容とが容易な吊下げ展示用の紙箱を得ることができた。
【００２９】
加えて、本実施例１の吊下げ展示用の紙箱においては、前側面板３３の上辺に上面連接板１１を連設する切れ目線ｅの中央部分に、半円状の切断開始部３を形成したことによって、この切断開始部３を指で押して開口して、簡単に持上げるように引張って切れ目線ｅを切断することができる、また後面貼着板１４に、ジッパー線と通称する２列のミシン目状の切れ目線ａ ,ａを設けたことによって、切断方向上流側( 図１では右側 ,図２Ａでは左側 )の端部を指でつまんで、簡単に剥がすように引張って切れ目線ａ ,ａを切断することができる、上面連接板１１と吊下げ板１２ ,１３と後面貼着板１４とを除去して開蓋することが容易な吊下げ展示用の紙箱を得ることができた。
【００３０】
また加えて、本実施例１の吊下げ展示用の紙箱においては、３列の凹状線として半切れミシン目線ｆ ,ｆ ,ｆを設けた後側面板３１の上部に、後面貼着板１４の２列のミシン目状の切れ目線ａ ,ａの下部を機械的に貼着したことによって、後側面板３１の上部に美麗な絵柄や０Ｐニスなどが印刷してあっても、通常の接着剤を用いて、そのまま後面貼着板１４を確実に貼着することができる、後側面板３１と後面貼着板１４との貼着工程が安定した吊下げ展示用の紙箱を得ることができた。なお、本発明における凹状線としては、例えば、上記半切れミシン目線の他に、罫線押しや型押し等による折り目線状のものであっても良く、また、曲線状や波線状であってもよい。
【実施例２】
【００３１】
図３は、本発明の実施例２における、吊下げ展示用の紙箱のブランクの平面図である。
【００３２】
また図４Ａ ,Ｂは、本発明の実施例２における、吊下げ展示用の紙箱の斜視図 ,断面図であって、図４Ｃ ,Ｄ ,Ｅは、吊下げ展示用の紙箱を、開蓋した状態と再閉蓋した状態とを示す断面図 ,斜視図 ,断面図である。
【００３３】
すなわち、繋止切込み４を設けた上面蓋板２１と、繋止凸部５を設けた上面蓋板２３と、折込み片２２ ,２４と、糊代片３０と、後左前右の側面板３１ ,３２ ,３３ ,３４と、オートロック式の底面板群４１ ,４２ ,４３ ,４４とを、それぞれ符号がない１点鎖線で示す折り目線を介して連設して成る、上面蓋板２１の繋止切込み４に上面蓋板２３の繋止凸部５を挿入して閉蓋する、縦と横と高さとが３２×９５×１３２ｍｍの、前後が偏平な直方体状の紙箱において、上面蓋板２３の端辺( 図３では上辺 )に、上面連接板１１と、それぞれ吊下げ孔２を設けた吊下げ板１２ ,１３と、切れ目線ａを設けた後面貼着板１４とを、ジッパー線と通称する２列のミシン目状の切れ目線ｇ ,ｇと谷折り線ｂと折り目線ｃ ,ｄとを介して順に連設した、図３に示す吊下げ展示用の紙箱のブランクであって、表面に美麗な印刷をしたコートボール紙３５０ｇ／ｍ2 を用いて、通常の打抜型を用いた打抜工程で、工程が簡単な１枚物の吊下げ展示用の紙箱のブランクを作製した。
【００３４】
次に、図３に示す吊下げ展示用の紙箱のブランクの、糊代片３０と右側面板３４の右端部とを機械的に角筒状に貼着して、またオートロック式の底面板群４１ ,４２ ,４３ ,４４を機械的に貼着して、菓子食品類や電気部品類や各種日用品などを幅広く収容した後に、上面蓋板２１と上面蓋板２３とを被せながら、２つ折りした吊下げ板１２ ,１３の裏面どうしを機械的に貼着して、また後側面板３１の上部に、後面貼着板１４の切れ目線ａの下部を機械的に貼着して、吊下げ板１２ ,１３の裏面どうしを貼着したために、店内に吊下げて、安定して展示販売することができる、工程が簡単で作製費用が廉価な、図４Ａ ,Ｂに示す吊下げ展示用の紙箱を得ることができた。
【００３５】
本実施例２の吊下げ展示用の紙箱においては、上面蓋板２３の端辺に、上面連接板１１をジッパー線と通称する２列のミシン目状の切れ目線ｇ ,ｇを介して連設したことによって、また後側面板３１の上部に、後面貼着板１４の切れ目線ａの下部を貼着したことによって、図４Ｃに示すように、２列のミシン目状の切れ目線ｇ ,ｇと切れ目線ａとを切断して、簡単に上面連接板１１と吊下げ板１２ ,１３と後面貼着板１４とを除去して開蓋することができる、また図４Ｄ ,Ｅに示すように、再び上面蓋板２１の繋止切込み４に上面蓋板２３の繋止凸部５を挿入して、簡単に閉蓋することができる、収容物の取出しと再収容とが容易な吊下げ展示用の紙箱を得ることができた。
【実施例３】
【００３６】
図５は、本発明の実施例３における、吊下げ展示用の紙箱のブランクの平面図である。
【００３７】
また図６Ａ ,Ｂは、本発明の実施例３における、吊下げ展示用の紙箱の斜視図 ,断面図であって、図６Ｃ ,Ｄ ,Ｅは、吊下げ展示用の紙箱を、開蓋した状態と再閉蓋した状態とを示す断面図 ,斜視図 ,断面図である。
【００３８】
すなわち、上面蓋板２１ ,２３と、それぞれ斜め４５度の谷折り線ｈ ,ｈを設けた折込み片２４ ,２２と、糊代片３０と、右後左前の側面板３４ ,３１ ,３２ ,３３と、オートロック式の底面板群４４ ,４１ ,４２ ,４３とを、それぞれ符号がない１点鎖線で示す折り目線を介して連設して成る、上面蓋板２１を谷状に折込んだ折込み片２４ ,２２と上面蓋板２３との間に挿入して閉蓋する、縦と横と高さとが３２×９５×１３２ｍｍの、前後が偏平な直方体状の紙箱において、上面蓋板２３の端辺( 図５では上辺 )に、それぞれ吊下げ孔２を設けた吊下げ板１２ ,１３と、後面貼着板１４とを、切れ目線ｊと折り目線ｃと切れ目線ｉとを介して順に連設した、図５に示す吊下げ展示用の紙箱のブランクであって、表面に美麗な印刷をしたコートボール紙３５０ｇ／ｍ2 を用いて、通常の打抜型を用いた打抜工程で、工程が簡単な１枚物の吊下げ展示用の紙箱のブランクを作製した。
【００３９】
次に、図５に示す吊下げ展示用の紙箱のブランクの、糊代片３０と前側面板３３の右端部とを機械的に角筒状に貼着して、またオートロック式の底面板群４４ ,４１ ,４２ ,４３を機械的に貼着して、菓子食品類や電気部品類や各種日用品などを幅広く収容した後に、上面蓋板２１を谷状に折込んだ折込み片２４ ,２２と上面蓋板２３との間に挿入しながら、２つ折りした吊下げ板１２ ,１３の裏面どうしを機械的に貼着して、また後側面板３１の上部に、後面貼着板１４を機械的に貼着して、吊下げ板１２ ,１３の裏面どうしを貼着したために、店内に吊下げて、安定して展示販売することができる、工程が簡単で作製費用が廉価な、図６Ａ ,Ｂに示す吊下げ展示用の紙箱を得ることができた。
【００４０】
本実施例３の吊下げ展示用の紙箱においては、上面蓋板２３の端辺に、吊下げ板１２ ,１３と後面貼着板１４とを切れ目線ｊと折り目線ｃと切れ目線ｉとを介して順に連設したことによって、また後側面板３１の上部に、後面貼着板１４を貼着したことによって、図６Ｃに示すように、切れ目線ｊと切れ目線ｉとを切断して、簡単に吊下げ板１２ ,１３と
後面貼着板１４とを除去して開蓋することができる、また図６Ｄ ,Ｅに示すように、再び上面蓋板２１を谷状に折込んだ折込み片２４ ,２２と上面蓋板２３との間に挿入して、簡単に閉蓋することができる、収容物の取出しと再収容とが容易な吊下げ展示用の紙箱を得ることができた。
【実施例４】
【００４１】
図７は、本発明の実施例４における、吊下げ展示用の紙箱のブランクの平面図である。
【００４２】
また図８Ａ ,Ｂは、本発明の実施例４における、吊下げ展示用の紙箱の斜視図 ,断面図であって、図８Ｃ ,Ｄ ,Ｅは、吊下げ展示用の紙箱を、開蓋した状態と再閉蓋した状態とを示す断面図 ,斜視図 ,断面図である。
【００４３】
すなわち、差込み片２５を連設した上面蓋板２３と、折込み片２２ ,２４と、糊代片３０と、後左前右の側面板３１ ,３２ ,３３ ,３４と、オートロック式の底面板群４１ ,４２ ,４３ ,４４とを、それぞれ符号がない１点鎖線で示す折り目線を介して連設して成る、上面蓋板２３の差込み片２５を後側面板３１の裏面側に差込んで閉蓋する、縦と横と高さとが３２×９５×１３２ｍｍの、前後が偏平な直方体状の紙箱において、上面蓋板２３の差込み片２５の端辺( 図７では上辺 )に、差込み連接片１５と、吊下げ孔２を設けた前面の吊下げ板１２とを、切れ目線ｋ ,ｍを介して順に連設して、また後側面板３１の上辺に、吊下げ孔２を設けた後面の吊下げ板１３を、中央部分に偏平Ｕ字状の切断開始部３を形成した切れ目線ｎを介して連設した、図７に示す吊下げ展示用の紙箱のブランクであって、表面に美麗な印刷をしたコートボール紙３５０ｇ／ｍ2 を用いて、通常の打抜型を用いた打抜工程で、工程が簡単な１枚物の吊下げ展示用の紙箱のブランクを作製した。
【００４４】
次に、図７に示す吊下げ展示用の紙箱のブランクの、糊代片３０と右側面板３４の右端部とを機械的に角筒状に貼着して、またオートロック式の底面板群４１ ,４２ ,４３ ,４４を機械的に貼着して、菓子食品類や電気部品類や各種日用品などを幅広く収容した後に、差込み片２５と逆折りした差込み連接片１５とを差込んだ状態で、前後面の吊下げ板１２ ,１３の裏面どうしを機械的に貼着して、吊下げ板１２ ,１３の裏面どうしを貼着したために、店内に吊下げて、安定して展示販売することができる、工程が簡単で作製費用が廉価な、図８Ａ ,Ｂに示す吊下げ展示用の紙箱を得ることができた。
【００４５】
本実施例４の吊下げ展示用の紙箱においては、上面蓋板２３の差込み片２５の端辺に、差込み連接片１５と前面の吊下げ板１２とを切れ目線ｋ ,ｍを介して順に連設して、また後側面板３１の上辺に、後面の吊下げ板１３を切れ目線ｎを介して連設したことによって、また前後面の吊下げ板１２ ,１３の裏面どうしを貼着したことによって、図８Ｃに示すように、切れ目線ｋ ,ｍと切れ目線ｎとを切断して、簡単に差込み連接片１５と前後面の吊下げ板１２ ,１３とを除去して開蓋することができる、また図８Ｄ ,Ｅに示すように、再び上面蓋板２３の差込み片２５を後側面板３１の裏面側に差込んで、簡単に閉蓋することができる、収容物の取出しと再収容とが容易な吊下げ展示用の紙箱を得ることができた。
【図面の簡単な説明】
【００４６】
【図１】本発明の実施例１における、吊下げ展示用の紙箱のブランクの平面図である。
【図２】本発明の実施例１における、図２Ａ ,Ｂは、吊下げ展示用の紙箱の斜視図 ,断面図であって、図２Ｃ ,Ｄ ,Ｅは、吊下げ展示用の紙箱を、開蓋した状態と再閉蓋した状態とを示す断面図 ,斜視図 ,断面図である。
【図３】本発明の実施例２における、吊下げ展示用の紙箱のブランクの平面図である。
【図４】本発明の実施例２における、図４Ａ ,Ｂは、吊下げ展示用の紙箱の斜視図 ,断面図であって、図４Ｃ ,Ｄ ,Ｅは、吊下げ展示用の紙箱を、開蓋した状態と再閉蓋した状態とを示す断面図 ,斜視図 ,断面図である。
【図５】本発明の実施例３における、吊下げ展示用の紙箱のブランクの平面図である。
【図６】本発明の実施例３における、図６Ａ ,Ｂは、吊下げ展示用の紙箱の斜視図 ,断面図であって、図６Ｃ ,Ｄ ,Ｅは、吊下げ展示用の紙箱を、開蓋した状態と再閉蓋した状態とを示す断面図 ,斜視図 ,断面図である。
【図７】本発明の実施例４における、吊下げ展示用の紙箱のブランクの平面図である。
【図８】本発明の実施例４における、図８Ａ ,Ｂは、吊下げ展示用の紙箱の斜視図 ,断面図であって、図８Ｃ ,Ｄ ,Ｅは、吊下げ展示用の紙箱を、開蓋した状態と再閉蓋した状態とを示す断面図 ,斜視図 ,断面図である。
【図９】従来の、吊下げ展示用の紙箱のブランクの平面図である。
【図１０】従来の、図１０Ａ ,Ｂは、吊下げ展示用の紙箱の斜視図 ,断面図であって、図１０Ｃ ,Ｄは、吊下げ展示用の紙箱を、開蓋した状態と再閉蓋した状態とを示す断面図である。
【符号の説明】
【００４７】
２ ,６…吊下げ孔
３…切断開始部
４…繋止切込み
５…繋止凸部
１０…吊下げ部材
１１…上面連接板
１２ ,１３…吊下げ板
１４…後面貼着板
１５…差込み連接片
２１ ,２３…上面蓋板
２２ ,２４…折込み片
２５…差込み片
３０…糊代片
３１ ,３２ ,３３ ,３４…側面板
４１ ,４２ ,４３ ,４４…底面板群
５１…繋止片
５２ ,５３…吊下げ板
ａ ,ｅ ,ｉ ,ｊ…切れ目線
ａ ,ａ…２列のミシン目状の切れ目線
ｂ ,ｏ…谷折り線
ｃ ,ｄ ,ｑ…折り目線
ｋ ,ｍ ,ｎ ,ｐ…切れ目線
ｆ…半切れミシン目線
ｇ ,ｇ…２列のミシン目状の切れ目線
ｈ…斜め４５度の谷折り線
【図１】
2005041535.tif 000003
【図２】
2005041535.tif 000004
【図３】
2005041535.tif 000005
【図４】
2005041535.tif 000006
【図５】
2005041535.tif 000007
【図６】
2005041535.tif 000008
【図７】
2005041535.tif 000009
【図８】
2005041535.tif 000010
【図９】
2005041535.tif 000011
【図１０】
2005041535.tif 000012